(57)【要約】      （修正有）【課題】従来のペット搬送装置は、操作ハンドルのグリップ高さを最大で２０ｃｍ程度の狭い範囲でしか安定調整できなかった。【解決手段】ペット収納手段１と、該ペット収納手段１を積載可能な台車２と、該台車２を操作可能な操作ハンドルＨとを有するペット搬送装置において、前記台車２は、前側に１個のキャスタ車輪１２、後側に２個の非キャスタ車輪１１を有する３輪構成であり、かつ前記操作ハンドルＨは、上下方向にスライド自在な１本支柱６を備えたものであるように構成した。【選択図】図１
2009034083.tif 000002
【特許請求の範囲】
【請求項１】
ペット収納手段と、該ペット収納手段を積載可能な台車と、該台車を操作可能な操作ハンドルとを有するペット搬送装置において、前記台車は、前側に１個のキャスタ車輪、後側に２個の非キャスタ車輪を有する３輪構成であり、かつ前記操作ハンドルは、上下方向にスライド自在な１本支柱を備えたものであることを特徴とするペット搬送装置。
【請求項２】
ペット収納手段と、該ペット収納手段を積載可能な台車と、該台車を操作可能な操作ハンドルとを有するペット搬送装置において、前記台車は、前側に２個のキャスタ車輪、後側に２個のキャスタ車輪または非キャスタ車輪を有する４輪構成であり、かつ前記操作ハンドルは、上下方向にスライド自在な１本支柱を備えたものであることを特徴とするペット搬送装置。
【請求項３】
前記キャスタ車輪は、旋回と回転を同時に、または別々にロックできるストッパを備えたものである請求項１または２に記載のペット搬送装置。
【請求項４】
前記操作ハンドルの１本支柱の上部適所に、前記ペット収納手段とは別個のペット収納手段を縦並列に支持可能な支持ステムを設けたことを特徴とする請求項１、２、３に記載のペット搬送装置。
【発明の詳細な説明】
【発明の詳細な説明】
【技術分野】
【０００１】  この発明は、ペット（＝愛玩用小動物。犬、猫、うさぎ、フェレット、マウスなど）の搬送に用いて好適なペット搬送装置に関するものである。
【背景技術】
【０００２】  一般に、ペット搬送装置は、台車の上にペット搬送手段を固定または着脱自在に設けたものである。【０００３】  即ち、従来装置の台車の構成は、ベビーカーなどで一般的な折畳機構が適用され、ペット収納手段としては可搬式の布製バッグなどが用いられている。これらは、「ペットキャリー」、「ペットカート」、「ペットバギー」などの名称で市販されて実用に供されている。【０００４】  従来装置は、その操作ハンドルが、２本の平行支柱を一定間隔でスライドさせて数段階の高さ設定ができるように構成されていた。
【発明の開示】
【発明が解決しようとする課題】
【０００５】  従来のペット搬送装置は、平行支柱が長くなるほど平行度が不安定となるため、操作ハンドルのグリップ高さを最大で２０ｃｍ程度までしか安定的に調整できなかった。このため、たとえば、身長＝１２０ｃｍの子供から身長＝１８０ｃｍの大人がいる家族の場合、家族皆でペット搬送装置を快適に利用することができないという問題点があった。【０００６】  この発明は、上記の問題点に鑑み、２０ｃｍ以上の範囲で操作ハンドルのグリップ高さ調整できるペット搬送装置を提供することにある。
【課題を解決するための手段】
【０００７】  上記の課題を解決するために、請求項１のペット搬送装置は、ペット収納手段と、該ペット収納手段を積載可能な台車と、該台車を操作可能な操作ハンドルとを有するペット搬送装置において、前記台車は、前側に１個のキャスタ車輪、後側に２個の非キャスタ車輪を有する３輪構成であり、かつ前記操作ハンドルは、上下方向にスライド自在な１本支柱を備えたものとし、操作性を悪化させることなくハンドル高さの調整範囲を広くできるようにした。【０００８】  請求項２のペット搬送装置は、ペット収納手段と、該ペット収納手段を積載可能な台車と、該台車を操作可能な操作ハンドルとを有するペット搬送装置において、前記台車は、前側に２個のキャスタ車輪、後側に２個のキャスタまたは非キャスタ車輪を有する４輪構成であり、かつ前記操作ハンドルは、上下方向にスライド自在な１本支柱を備えたものとし、操作性を悪化させることなくハンドル高さの調整範囲を広くできるようにした。【０００９】  請求項３のペット搬送装置は、前記キャスタ車輪を、旋回と回転を同時または別々にロックできるストッパを備えたものとし、キャスタ車輪のストッパを作動させることにより台車の停止状態を維持できるようにした。【００１０】  請求項４のペット搬送装置は、前記操作ハンドルの１本支柱の上部適所に、前記ペット収納手段とは別個のペット収納手段を縦並列に支持可能な支持ステムを設け、ペット搬送機能を拡大した。
【発明の効果】
【００１１】  請求項１記載のペット搬送装置は、ペット収納手段と、該ペット収納手段を積載可能な台車と、該台車を操作可能な操作ハンドルとを有するペット搬送装置において、前記台車は、前側に１個のキャスタ車輪、後側に２個の非キャスタ車輪を有する３輪構成であり、かつ前記操作ハンドルは、上下方向にスライド自在な１本支柱を備えたものであることを特徴としているから、ハンドルの高さ調整範囲を非常に大きくできるという効果を奏する。【００１２】  請求項２に記載のペット搬送装置は、ペット収納手段と、該ペット収納手段を積載可能な台車と、該台車を操作可能な操作ハンドルとを有するペット搬送装置において、前記台車は、前側に２個のキャスタ車輪、後側に２個のキャスタ車輪または非キャスタ車輪を有する４輪構成であり、かつ前記操作ハンドルは、上下方向にスライド自在な１本支柱を備えたものであることを特徴としているから、ハンドルの高さ調整範囲を非常に大きくできるという効果を奏する。【００１３】  請求項３のペット搬送装置は、請求項１または２に記載のペット搬送装置において、前記キャスタ車輪は、旋回と回転を同時に、または別々にロックできるストッパを備えたものであるから、ブレーキ機構などを用いない簡潔な機構で、しかも簡単な操作で台車を停止状態に維持できるという効果を奏するものである。【００１４】  請求項４のペット搬送装置は、請求項１、２、３に記載のペット搬送装置において、前記操作ハンドルの１本支柱の上部適所に、前記ペット収納手段とは別個のペット収納手段を縦並列に支持可能な支持ステムを設けたことを特徴としているから、ペット収納手段を２段積みにできるという効果を奏する。
【発明を実施するための最良の形態】
【実施例】
【００１５】  以下、この発明の実施例を図面に基づいて説明する。【００１６】  図において、１はペット収納手段である。【００１３】  該ペット収納手段１は、上面に小判形の開口を有するバスケットからなり、犬、猫、うさぎなどの愛玩用小動物を安全・快適に収納できるように構成されている。【００１４】  該ペット収納手段１を構成するバスケットは、籐（とう）、柳、葡萄、あけびなどの天然蔓性植物を用いてもよいし、ひも状プラスチックや針金（または紙を被覆した針金）などを用いて編み上げたものであってもよい。また、該ペット収納手段１は、木、プラスチック、金属、布、紙などの素材を適宜組み合わせて形成した任意の形状の収納容器でもよい。即ち、該ペット収納手段１の外形形状は、楕円箱型、四角箱型、円筒型などでもよい。【００１５】  ２は台車である。【００１６】  該台車２は、前記ペット収納手段１を載置可能なフレーム３を備えている。該フレーム３は、金属の棒またはパイプからなり、前記ペット収納手段１を着脱自在に載置できるように成形されている。即ち、該フレーム３は、ペット収納手段１の底部を支持するとともにその適所にベルトＢの一端部を固設できるようになっている。該ベルトＢの他端部にフックＦを設け、該フックＦを前記ペット収納手段１の上枠に係止させることにより、フレーム３とペット収納手段１を結合できるようになっている。【００１７】  ４は支柱鞘である。該支柱鞘４は円筒形の貫通穴４ａを有し、前記フレーム３の後部にて略垂直に立設されている。【００１８】  該支柱鞘４の貫通穴４ａの入口には締め具５が設けられ、該締め具５により、貫通穴４ａの外形形状を変形させるように構成されている。即ち、該締め具５は、支柱鞘４に対して回転不能に設けられたボルト５ａと該ボルト５ａに対してスライド自在な可動ナット５ｂとからなっており、該可動ナット５ｂを締め付けカム５ｃで移動させることにより、貫通穴４ａの入り口を締め付けできるようになっている。【００１９】  ６はハンドル支柱となる１本支柱である。該１本支柱６は、前記支柱鞘４の貫通穴４ａの内側を挿通可能な１本の丸パイプであり、支柱鞘４と同軸で上下方向へスライドできるように構成されている。ここで、該１本支柱６の長さは約５５ｃｍであり、最も低いスライド位置は地表から約６０ｃｍ、最も高いスライド位置は約１００ｃｍとなるように設定されている。即ち、最大で約４０ｃｍのスライド行程を有している。これにより、操作ハンドルＨの高さを身長１２０ｃｍの子供から身長１８０ｃｍの大人まで対応できるようになっている。【００２０】  ７はグリップである、該グリップ７は、台車２の進行方向に向かって「ハ」の字形に構成され、前記１本支柱の上端に固設されている。【００２１】  該グリップ７は、金属パイプ、天然木、プラスチックパイプなどにより成形され、握り領域には皮革、布、弾性ラバーなど適宜の軟質部材が被覆されている。【００２２】  ８はステムである。該ステム８は、前記ペット収納手段１とは別個の物品収納手段を装着するためのもので、前記１本支柱６の上部適所に取り付けできるように構成されている。該ステム８は、ペット収納手段の底部を安定的に支持する十字受枠８ａと、該十時受枠８ａの端部にて略垂直下方に向けて固設された２本の平行ピン８ｂ，８ｂとからなっている。【００２３】  ９は２個の差込穴９ａ、９ａを有するホルダである。該ホルダ９は、前記１本支柱６の上部適所にネジ締め取り付けできるように構成されており、ホルダ穴９ａ，９ａに前記ステム８の平行ピン８ｂ、８ｂを差し込むことにより、ステム８を固定できるようになっている。【００２４】  物品収納手段は、前記ステム８の十字受枠８ａに載置できるものであればその形状や材質は問わないため、特に図示はしないが、たとえば、前記ペット収納手段１と同一のバスケットを前記ベルトＢとフックＦで結合できるようにしてもよい。その他の形状のバスケットや袋物などであってもよいのはもちろんである。【００２５】  １１、１１は、前記台車２の下面に取り付けられた左右一対の後車輪である。該後車輪１１，１１は台車２のフレーム３を移動可能に支持するものである。該後車輪１１，１１は車軸を中心にして回転するだけの非キャスタ輪からなっている。即ち、該後車輪１１，１１によって、台車２は、台車中心線に沿ってほぼ直線方向で安定的に直進できるようになっている。【００２６】  １２は、前記台車２の下面に取り付けられた１個の前車輪である。該前車輪１２は、回転だけでなく旋回も可能なキャスタ輪であり、任意の方向に向かって進行できるようになっている。すなわち、外部より台車２を左右に回動させる力が加えられると、該前車輪１２はキャスタ作用により旋回し、その進行方向を適宜変更できるように構成されている。【００２７】  １３は前車輪１２に付属のストッパである。該ストッパ１３は、前車輪１２の回転と旋回を同時にロックできるように構成されている。該ストッパ１３のロック機構は、車輪軸と旋回軸に対応する歯車をオン・オフ係止する機構であるが、公知技術であるので特に説明しない。【００２８】  このように、該後車輪１１，１１と前車輪１２とにより、台車２は３輪台車として構成されている。【００２９】  このため、３輪台車である台車２は、後車輪１１，１１が非キャスタ輪であるため直進方向への走行安定性が良い。しかも方向転換に際しては、前記ハンドルＨの１本支柱６から伝わるわずかな回転力によって前車輪１２が容易に旋回してその向きを変えることができる。そして、方向転換が確定したあとは、後車輪１１，１１の直進性作用により安定走行がまた実現する。【００３０】  （作用）
以下、この発明のペット搬送装置の作用を述べる。【００３１】  ペット収納手段１を台車２に載置するとともに、ベルトＢのフックＦをペット収納手段１の上枠に係止させて固定する。【００３２】  操作ハンドルＨの１本支柱６を支柱鞘４に対してスライドさせて使用者の身長に応じた適正高さを選択する。適正高さが決まったら締め具５の締め付けカム５ｃを介してナット５ｂを移動させ、ボルト５ａとナット５ｂにより支柱鞘４の入口を締め付ける。これにより支柱鞘４が１本支柱６を外側から締め付けることとなり、１本支柱６の高さが固定される。【００３３】  使用者が、ハンドルＨのグリップ７を両手で把持して前進歩行すると、前車輪１２と後車輪１１、１１が回転して台車２が前進する。このとき、後車輪１１，１１は、キャスタ輪であってもよいし、非キャスタ輪であってもよいが、直進性の良い非キャスタ輪であればより安定した走行が実現する。【００３４】  使用者が方向転換を望む時、グリップ７を所望の向きに向けて回転させると、回転力は１本支柱６と支柱鞘４からフレーム３を介して台車２に伝わることとなる。このとき、前車輪１２はキャスタ輪であるため、わずかな力で旋回を始める。そして使用者が所望の向きで回動をやめると同時に前車輪１２も旋回をやめる。【００３５】  使用者が台車２を停止させたい時は、前車輪１２のストッパ１３を作動させれば、旋回と回転を同時にロックされる。後車輪１１，１１は回転のみ可能な非キャスタ輪であるため、前車輪１２がロックされると前進も操作もできなくなり、即ち、３輪構成である台車２が全体としてロックされる。【００３６】請求項２における４輪構成の台車で、４輪ともにキャスタ輪であっても各キャスタをロックすれば台車を停止状態にできることは同じである。
【産業上の利用可能性】
【００３７】  この発明のペット搬送装置は、都市生活者のペット飼育頭数の増大とペットの高齢化が進展するなかで、散歩、旅行、介護などで活用されるペット関連の生活用品として、産業上の利用可能性が期待される。
【図面の簡単な説明】
【００３８】
【図１】  ペット搬送装置の全体構成を示す正面図である。
【図２】  １本支柱と支柱鞘と締め具の関係を示す正面図である。。
【図３】  １本支柱とステムの関係を示す正面図である。
【図４】  ステムの平行ピンとホルダの穴の関係を示す斜視図である。
【符号の説明】
【００３９】  １    ペット収納手段（バスケット）
２    台車
３    フレーム
４    支柱鞘
５    締め具
６    １本支柱
７    グリップ
８    ステム
Ｈ    操作ハンドル
【図１】
2009034083.tif 000003
【図２】
2009034083.tif 000004
【図３】
2009034083.tif 000005
【図４】
2009034083.tif 000006